【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
間接印刷プロセスに使用するためのデュアル構成成分インクであって：
第１の架橋性官能基を有する第１の反応性ラテックスを含む第１の成分インク；および
第２の架橋性官能基を有する第２の反応性ラテックスを含む第２の成分インクを含み、 前記第１の反応性ラテックスおよび前記第２の反応性ラテックスは互いに接触していないが、互いに接触したときに前記第１の反応性ラテックスは前記第２の反応性ラテックスと反応して、架橋されたポリマーマトリックスを形成することができ、
前記架橋されたポリマーマトリックスはポリウレタン、フェノール−メタナール、尿素−ホルムアルデヒド、メラミン−ホルムアルデヒド、およびエポキシドからなる群から選択され、
前記第１の成分インク及び前記第２の成分インクは、それぞれ、顔料、染料、顔料と染料との混合物、顔料の混合物、および染料の混合物からなる群から選択される着色剤を更に含み、
デュアル構成成分インク。
【請求項２】
前記第１の反応性ラテックスおよび前記第２の反応性ラテックスの一方がポリオールを含み、
前記第１の反応性ラテックスおよび前記第２の反応性ラテックスの他方がジイソシアネートを含む、
請求項１に記載のデュアル構成成分インク。
【請求項３】
前記ポリオールはアルキレングリコールを含む、請求項２に記載のデュアル構成成分インク。
【請求項４】
前記ジイソシアネートは脂肪族ジイソシアネートを含む、請求項２に記載のデュアル構成成分インク。
【請求項５】
前記第１の反応性ラテックスおよび前記第２の反応性ラテックスの一方がフェノールを含み、
前記第１の反応性ラテックスおよび前記第２の反応性ラテックスの他方がメタナールを含み、
前記架橋されたポリマーマトリックスはフェノール−メタナールである、
請求項１に記載のデュアル構成成分インク。
【請求項６】
前記第１の反応性ラテックスおよび前記第２の反応性ラテックスの一方が尿素を含み、  前記第１の反応性ラテックスおよび前記第２の反応性ラテックスの他方がホルムアルデヒドを含み、
前記架橋されたポリマーマトリックスは尿素−ホルムアルデヒドである、
請求項１に記載のデュアル構成成分インク。
【請求項７】
前記第１の反応性ラテックスおよび前記第２の反応性ラテックスの一方がメラミンを含み、
前記第１の反応性ラテックスおよび前記第２の反応性ラテックスの他方がホルムアルデヒドを含み、
前記架橋されたポリマーマトリックスはメラミン−ホルムアルデヒドである、
請求項１に記載のデュアル構成成分インク。
【請求項８】
前記第１の反応性ラテックスと前記第２の反応性ラテックスとのモル比が０．５：１〜２：１である、請求項１に記載のデュアル構成成分インク。
【請求項９】
前記第１の成分インクは表面張力が１５〜５０ｍＮ／ｍであり、
前記第２の成分インクは表面張力が１５〜５０ｍＮ／ｍである、
請求項１に記載のデュアル構成成分インク。
【請求項１０】
前記第１の成分インクは３０℃での粘度が２ｃｐ〜２０ｃｐであり、
前記第２の成分インクは３０℃での粘度が２ｃｐ〜２０ｃｐである、
請求項１に記載のデュアル構成成分インク。
【請求項１１】
前記第１の成分インク及び前記第２の成分インクはそれぞれ保湿剤を更に含む、請求項１に記載のデュアル構成成分インク。
【請求項１２】
間接印刷システムであって：
ａ）噴出されたインクを受容するための中間受容部材；
ｂ）前記中間受容部材に隣接した、デュアル構成成分インクを保持する保持構成、
ここで、前記デュアル構成成分インクは、第１の架橋性官能基を有する第１の反応性ラテックスを含む第１の成分インクおよび第２の架橋性官能基を有する第２の反応性ラテックスを含む第２の成分インクを含み、
前記第１の反応性ラテックスと前記第２の反応性ラテックスとが互いに接触したときに前記第１の反応性ラテックスは前記第２の反応性ラテックスと反応して、架橋されたポリマーマトリックスを形成することができ、
前記架橋されたポリマーマトリックスは、ポリウレタン、フェノール−メタナール、尿素−ホルムアルデヒド、メラミン−ホルムアルデヒド、およびエポキシドからなる群から選択され、
前記第１の成分インク及び前記第２の成分インクは、それぞれ、顔料、染料、顔料と染料との混合物、顔料の混合物、および染料の混合物からなる群から選択される着色剤を更に含み、
前記保持構成は、前記第１の成分インクを保持する第１の容器および前記第２の成分インクを保持する第２の容器を更に含む；
ｃ）前記第１の成分及び前記第２の成分の両方ともが前記中間受容部材に噴出され、混合されることにより、前記第１の反応性ラテックスを前記第２の反応性ラテックスと反応させて、架橋されたポリマーラテックスが形成されるように、前記デュアル構成成分インクを噴出するための、前記第１の容器と前記第２の容器とに接触した状態で形成されている１つ以上のインクジェットノズル、
ここで、前記架橋されたポリマーマトリックスは、ポリウレタン、フェノール−メタナール、尿素−ホルムアルデヒド、メラミン−ホルムアルデヒド、およびエポキシドからなる群から選択される；および、
ｄ）前記架橋されたポリマーマトリックスを加熱するためのヒーターデバイス、
を含む間接印刷システム。
【請求項１３】
前記第１の成分インクは前記中間受容部材に噴出され、
続いて、前記第２の成分インクは前記中間受容部材に噴出される、
請求項１２に記載の間接印刷システム。
【請求項１４】
水性インクを用いて印刷する方法であって：
ａ）デュアル構成成分インクを付与すること、
ここで、前記デュアル構成成分インクは、第１の架橋性官能基を有する第１の反応性ラテックスを含む第１の成分インクと、第２の架橋性官能基を有する第２の反応性ラテックスを含む第２の成分インクと、含み、
前記第１の反応性ラテックスおよび前記第２の反応性ラテックスは互いに接触していないが、互いに接触したときに前記第１の反応性ラテックスは前記第２の反応性ラテックスと反応して、架橋されたポリマーマトリックスを形成することができ、
前記第１の成分インクおよび前記第２の成分インクは、それぞれ、顔料、染料、顔料と染料との混合物、顔料の混合物、および染料の混合物からなる群から選択される着色剤を更に含む、
ｂ）第１のインクジェットによって前記第１の反応性ラテックスを中間基材に塗布して、第２のインクジェットによって前記第２の反応性ラテックスを前記中間基材に塗布すること；
ｃ）前記第１の反応性ラテックスおよび前記第２の反応性ラテックスを反応させて、架橋されたポリマーマトリックスを含むインクフィルムを形成すること、
ここで、前記架橋されたポリマーマトリックスは、ポリウレタン、フェノール−メタナール、尿素−ホルムアルデヒド、メラミン−ホルムアルデヒド、およびエポキシドからなる群から選択される；および、
ｄ）前記インクフィルムを前記中間基材から最終基材に転写すること、
を含む、水性インクを用いて印刷する方法。
【請求項１５】
前記第１の反応性ラテックスおよび前記第２の反応性ラテックスは前記中間基材上で混合される、請求項１４に記載の方法。
【請求項１６】
前記架橋されたポリマーマトリックスは、ポリウレタン、フェノール−メタナール、尿素−ホルムアルデヒド、メラミン−ホルムアルデヒド、およびエポキシドからなる群から選択される、請求項１４に記載の方法。
【請求項１７】
前記水性インクは表面張力が１５〜５０ｍＮ／ｍである、請求項１４に記載の方法。
【請求項１８】
前記水性インクは３０℃での粘度が２ｃｐ〜２０ｃｐである、請求項１４に記載の方法。